(57)【特許請求の範囲】
【請求項１】
複数の機能を指針にて切替え表示する指針式多機能時計であって、
該複数機能として、時刻表示機能とクロノグラフ機能とそれ以外の他機能を有し、
前記各複数機能に対応する機能モードを選択するモード信号出力手段と、
前記各複数機能に対応する機能信号を出力する複数の機能信号出力手段と、
前記モード信号出力手段からの出力信号により、該複数の機能信号出力手段のうちの１つを選択し出力する機能選択手段と、
該機能選択手段の出力に基づき動作する時分針と、を有し、
該機能選択手段は、
前記時刻表示機能と前記他機能が選択された場合は対応する前記機能信号出力手段を選択し、
前記クロノグラフ機能が選択された場合に、選択前の出力信号を保持する
ことを特徴とする指針式電子多機能時計。
【請求項２】
前記他機能として、少なくともアラーム機能を含むことを特徴とする請求項１記載の指針式電子多機能時計。
【発明の詳細な説明】
【０００１】
【発明の属する技術分野】
本発明は、通常時刻表示機能の他にアラーム機能、クロノグラフ機能など多くの機能を有する指針式電子多機能時計において、クロノグラフを使用する際にすばやく使用出来る事に関するものである。
【０００２】
【従来の技術】
従来、一つの時計の中に通常時刻表示の他にアラーム機能やクロノグラフ機能等を有する指針式電子多機能時計が多く市場にある。それら指針式電子多機能時計の中には多くの機能を有するあまり一つの指針で機能毎に異なった機能表示を行なっている。また指針式電子多機能時計の中にはスタンダードの時計に見せる為指針の数を減らす物も有り、この場合数少ない指針を用いて所有する機能を表現するあまり前述同様一つの指針で多くの機能表示を兼ねる事になる。ここで従来の指針式電子多機能時計の機能を切り替える場合、指針一つ一つが前の機能表示から選択された新たな機能表示に切り替わる為、高速で指針が運針を行ない選択された機能表示指示値迄運針する事になる。この場合使用者にとって指針一つ一つが切り替わるまで待つ事となり、切り替わる迄選択した機能を使用出来ない。
【０００３】
図を用いて従来例を説明する。図２は従来の指針式電子多機能時計の構成を表わしたブロック図である。図において、２１は基準信号発生手段、２２は基準信号発生手段２１からの信号を分周する分周手段、２３は機能切替えやクロノグラフ操作、アラーム操作を使用者が行なうスイッチ群、５０はスイッチ群の信号と分周手段２２からの信号に基づき後述する指針を制御する制御手段であり内部詳細は後述でする。９はクロノグラフ機能の時に分クロノ針となる機能針、５は秒針、６は分針、７は時針である。ここで各指針を駆動するモータ、輪列は割愛する。
【０００４】
この指針式電子多機能時計は保有機能として時刻表示機能、アラーム機能、クロノグラフ機能を有し、時刻表示機能の時は時針７、分針６及び秒針５で現在時刻を、アラーム機能の時は時針７及び分針６でアラームセット時刻を秒針５でアラームＯＮ−ＯＦＦ表示を、クロノグラフ機能の時は秒針５でクロノグラフ秒を機能針９でクロノグラフ分を表示する。またクロノグラフ機能の時は時針７及び分針６は現在時刻を表示する。
【０００５】
続いて制御手段５０の詳細を説明する。
まず、秒針５を制御する制御手段５０内の説明を図３にて行なう。図３において、５０ｂは秒針制御手段である。５１はクロノ信号出力手段でありクロノグラフ機能選択時に動作し、１秒運針出力であるクロノ秒信号Ｐ５１ｂを出力する。
５２はアラーム信号出力手段でありアラーム機能選択時に動作し、ＯＮ−ＯＦＦ切替え位置を表すアラームオンオフ信号Ｐ５２ｂを出力する。５３は時刻信号出力手段であり現在時刻の１秒信号である時刻秒信号Ｐ５３ｂを出力する。５４はモード信号出力手段でありスイッチ群２３からの複数の信号Ｐ２３ａにより、クロノグラフ機能選択時はクロノモード信号Ｐ５４ａを、またアラーム機能選択時はアラームモード信号Ｐ５４ｂをそれぞれ“Ｈ”レベルで出力する。５７、５８は切替手段でありＣ端子入力が“Ｈ”レベルの時にＡ端子からの入力信号を、Ｃ端子入力が“Ｌ”レベルの時にＢ端子からの入力信号を出力する。５９は秒針駆動手段であり、秒針５と常に連動する針位置カウンタ（図示せず）を有し、切替手段５８からの出力と針位置カウンタが常に一致するよう針位置カウンタ及び秒針５を制御する。
【０００６】
次に、機能針９及び分針６時針７を制御する制御手段５０内の説明を図４にて行なう。図４において、５０ｃは機能針時分針制御手段である。６１はクロノグラフ信号出力手段であり、クロノグラフ機能選択時に動作し、１分運針出力信号であるクロノ分時信号Ｐ６１ｃを出力する。６２はアラーム信号出力手段であり、アラーム機能選択時に動作し、アラームセット時刻を表すアラーム時刻信号Ｐ６２ｃを出力する。６３は時刻信号出力手段であり現在時刻の時分信号である時刻分時信号Ｐ６３ｃを出力する。６５は切替手段である。６６は時分針駆動手段であり、分針６及び時針７と常に連動する針位置カウンタ（図示せず）を有し、切替手段６５からの出力と針位置カウンタが常に一致するよう針位置カウンタ及び時分針６、７を制御する。９０は機能針駆動手段で機能針５の動作を制御する。
【０００７】
次に動作に付いて説明する。まず始めに秒針の動作に付いて図３を用いて説明する。時刻表示機能が選択されている場合、スイッチ群２３からの信号Ｐ２３ａによりモード信号出力手段５４はクロノモード信号Ｐ５４ａ及びアラームモード信号Ｐ５４ｂを“Ｌ”レベルで出力する。切替手段５７はＢ入力端子である時刻秒信号Ｐ５３ｂを出力し、切替手段５８も同様に時刻秒信号Ｐ５３ｂを出力する。よって秒針駆動手段５９は秒針５を１秒毎に運針する。
【０００８】
次にアラーム機能が選択されると、スイッチ群２３からの信号Ｐ２３ａに基づきモード信号出力手段５４はアラームモード信号Ｐ５４ｂを“Ｈ”レベルで出力する。よって切替手段５８はＡ入力端子であるアラームオンオフ信号Ｐ５２ｂを出力する。秒針駆動手段５９はアラーム信号に基づき秒針５を駆動する。その結果秒針５はアラームのＯＮ−ＯＦＦ表示を行なう。ここでスイッチ群２３を操作する事により出力されるアラーム修正信号Ｐ２３ｃを用いてアラームのＯＮ−ＯＦＦを切換える事が出来る。
【０００９】
続いてクロノグラフ機能を選択すると、スイッチ群２３からの信号Ｐ２３ａに基づきモード信号出力手段５４はクロノモード信号Ｐ５４ａを“Ｈ”レベルで出力する（しかし、後述するようにこの時時分針６、７が現在時刻まで高速で送られる。この間は大きな負荷が重ならないようにクロノグラフ機能は使用できないようになっている。そのためしばらくの間クロノモード信号Ｐ５４ａは“Ｈ”レベルとはならない）。よってクロノ信号出力手段５１は動作可能状態となり、切替手段５７はＡ入力端子であるクロノ秒信号Ｐ５１ｂを出力し、切替手段５８も同様にクロノ秒信号Ｐ５１ｂを出力する。よって秒針駆動手段５９はクロノ信号により秒針５を０位置まで高速運針させる。ここでスイッチ群２３を操作するとクロノ制御信号Ｐ２３ｂによりクロノ信号出力手段５１は計時を開始し、秒針駆動手段５９は秒針５をクロノ秒信号Ｐ５１ｂに基づき運針する。
【００１０】
次に機能針９、分針６時針７の動作に付いて図４を用いて説明する。時刻表示機能が選択されている場合、スイッチ群２３からの信号Ｐ２３ａによりモード信号出力手段５４はクロノモード信号５４ａ及びアラームモード信号５４ｂを“Ｌ”レベルで出力する。切替手段６５はＢ入力端子である時刻分時信号Ｐ６３ｃを出力する。よって時分針駆動手段６６は時分針６、７を時刻分時信号Ｐ６３ｃに基づき駆動する。ここでクロノ信号出力手段６１はクロノモード信号Ｐ５４ａが“Ｌ”レベルであるため非動作状態であり、機能針９は０位置に停止している。
【００１１】
次にアラーム機能が選択されると、スイッチ群２３からの信号Ｐ２３ａに基づきモード信号出力手段５４はアラームモード信号Ｐ５４ｂを“Ｈ”レベルで出力する。よって切替手段６５はＡ入力端子であるアラーム時刻信号Ｐ６２ｃを出力する。時分針駆動手段６６はアラーム時刻信号Ｐ６２ｃに基づき時分針６、７を駆動する。その結果時分針６、７はアラーム時刻を表示する。またこの時アラーム信号出力手段６２は動作状態となっているので、ここでスイッチ群２３を操作する事により出力されるアラーム修正信号Ｐ２３ｃを用いてアラーム時刻を修正する事が出来る。
【００１２】
続いてクロノグラフ機能を選択すると、スイッチ群２３からの信号Ｐ２３ａに基づきモード信号出力手段５４はアラームモード信号Ｐ５４ｂを“Ｌ”レベルに切替かえる。よって切替手段６５はＢ入力端子である時刻分時信号Ｐ６３ｃを出力し時分針６、７は時分針駆動回路６６により現在時刻まで高速回転される。
【００１３】
ところでこの間大きな負荷が重なる事を避けるためモード信号出力手段５４は時分針６、７の高速回転が終了するまでクロノモード信号Ｐ５４ａを“Ｈ”レベルで出力しない。よってクロノグラフ機能は使用不可能となっている。
【００１４】
時分針６、７の動作が終了するとモード信号出力手段５４は“Ｈ”レベルの信号を出力し、クロノ信号出力手段６１は動作可能状態となるが、まだ計時は行なっていなので、機能針９は０位置に停止したままである。ここでスイッチ群２３を操作するとクロノ制御信号Ｐ２３ｂによりクロノ信号出力手段６１は計時を開始し、機能針駆動手段９０はクロノ分時信号Ｐ６１ｂに基づき機能針９を運針する。
【００１５】
以上の様に時分針６、７が時刻表示とアラームセット時刻表示の切替え表示の際には時分針６、７共に高速運針し切り替え時間がかかる事になる。
【００１６】
この切替え運針中は、新たに選択された機能が使用出来ない事になる。つまり使用者が使用したい機能を選択してもすぐには使用出来ない事になる。
【００１７】
【発明が解決しようとする課題】
前述の如く、従来の指針式電子多機能時計はクロノグラフ機能時でも時分針を現在時刻表示させていたために、アラーム機能からの切替時のように時分針を別の機能で使用していた状態からクロノグラフ機能へ移行する場合は時分針の高速回転が終了するまでクロノグラフの機能を使用出来ないものとなっていた。
【００１８】
本発明の目的は、上述のような欠点を解消し使用者にとって新たに選択された機能で使用される指針のみ機能表示を行なう事で、使用者に早く選択した機能を提供する事にある。
【００１９】
【課題を解決するための手段】
上記問題を解決する為に本発明では、
複数の機能を指針にて切替え表示する指針式多機能時計であって、
該複数機能として、時刻表示機能とクロノグラフ機能とそれ以外の他機能を有し、
前記各複数機能に対応する機能モードを選択するモード信号出力手段と、
前記各複数機能に対応する機能信号を出力する複数の機能信号出力手段と、
前記モード信号出力手段からの出力信号により、該複数の機能信号出力手段のうちの１つを選択し出力する機能選択手段と、
該機能選択手段の出力に基づき動作する時分針と、を有し、
該機能選択手段は、
前記時刻表示機能と前記他機能が選択された場合は対応する前記機能信号出力手段を選択し、
前記クロノグラフ機能が選択された場合に、選択前の出力信号を保持することを特徴とする。
【００２０】
また前記他機能として、少なくともアラーム機能を含む事を特徴とする。
【００２１】
【発明の実施の形態】
以下本発明の実施の形態を従来例で述べた指針式電子多機能時計からの相違個所を中心に図面に基づいて詳述する。秒針５を制御する制御手段５０内は従来例と同様の為説明を割愛する。
図１は本発明の分針６時針７を制御する制御手段５０内の説明図である。図５及び図６は本発明の実施の形態を表わした指針式電子多機能時計の機能表示変化を表わす正面図である。図５は時刻表示機能からクロノグラフ機能への機能変化を表わし、図６は、アラーム設定機能からクロノグラフ機能への機能変化を表わしている。
【００２２】
図５、図６において１は時刻表示機能、アラーム機能、クロノグラフ機能を有する指針式電子多機能時計、２及び４は各機能状態で使用されるプッシュボタン、３はリューズであり、０段位置での回転で各機能を切替え、１段押し引く事で各機能の修正状態になる。プッシュボタン２、４及びリューズ３でスイッチ群２３が構成されている。５は秒針、６は分針、７は時針、８は各機能状態を表示するモード指示針、９は機能針である。
【００２３】
本発明の実施の形態における指針式電子多機能時計１は、秒針５を独立したモータで駆動し、分針６と時針７は同一のモータで駆動され輪列で繋がれている。
上述の時計構成は多く用いられている多モータ構造であるので時計構造に付いては割愛する。さらにモード指示針３は、リューズ３より輪列で繋がれておりリューズ３の回転により正逆転し機能表示を切り替える。
【００２４】
本発明の特徴である分針６時針７の制御は図１を用いて説明する。なお図４と同一の構成には同一の番号を付して説明を省略する。
図において６７はセットリセット機能付フリップフロップ回路（以下ＳＲ−ＦＦとする）であり、またモード信号出力手段５４は時刻モード信号Ｐ５４ｃを出力するよう構成されている。
【００２５】
次に発明の特徴である機能切替えにおける指針切替え動作に付いて述べる。秒針５、機能針９に付いては従来例と同じ為説明は割愛する。図１において、使用者が時刻表示機能を選択した場合、スイッチ群２３からの信号Ｐ２３ａによりモード信号出力手段５４は時刻モード信号Ｐ５４ｃを出力しＳＲ−ＦＦ６７をリセットさせる。この時ＳＲ−ＦＦ６７の出力は“Ｌ”レベルとなる。よって切替手段６５は、Ｂ端子入力である時刻分時信号Ｐ６３ｃを出力する。よって分針６時針７は時刻運針を行なう。
【００２６】
次に使用者がアラーム機能を選択した場合、スイッチ群２３からの信号Ｐ２３ａに基づきモード信号出力手段５４はアラームモード信号Ｐ５４ｂを出力する。
ＳＲ−ＦＦ６７はこのアラームモード信号Ｐ５４ｂをセット信号として入力し、信号Ｐ６７を“Ｈ”レベルで出力する。よって切替手段６５は、Ａ端子入力であるアラーム時刻信号Ｐ６２ｃを出力する。このアラーム時刻信号Ｐ６２ｃを受け分針６時針７はアラームセット時刻の表示を行なう。
【００２７】
ここで使用者がクロノグラフ機能を選択すると、ＳＲ−ＦＦ６７の出力は“Ｈ”レベルのままなので、切替手段６５の出力はアラーム時刻信号Ｐ６２ｃのまま変化しない。よって時分針６、７はアラーム時刻を表示したままであり、従来例のように高速で現在時刻まで運針される事はない。よってモード信号出力手段５４は即クロノモード信号Ｐ５４ａを“Ｈ”レベルで出力し、クロノ信号出力手段６１は動作可能状態となる。ここでスイッチ群２３を操作すればクロノ制御信号Ｐ２３ｂが出力され、クロノグラフ機能を使用する事ができる。
【００２８】
また使用者が時刻表示機能からクロノグラフ機能へ切り替えた場合の分針６時針７の動作について説明する。時刻表示機能の時は、上述の説明の如く分針６時針７は時刻表示を行なっている。この時クロノグラフ機能に切替えた場合、ＳＲ−ＦＦ６７はリセットが維持されている。つまり分針６時針７は時刻表示運針をそのまま続ける事になる。よって分針６時針７は時刻表示を指示し指針式電子多機能時計１はクロノグラフが使用出来る事になる。
【００２９】
続いて図５、図６を用いて本実施形態における指針式電子多機能時計１の分針６時針７の表示状態を説明する。図５において、（ａ）のアラーム機能を表示している指針式電子多機能時計１では秒針５がアラームのＯＮ、ＯＦＦ機能を表示、時針７分針６でアラーム設定時刻を表わしている。ここでリューズ３を回転して同図（ｂ）の如くモード指示針８をアラーム設定機能からクロノグラフ機能へ変更した場合、クロノグラフで使用する秒針５のみクロノグラフのリセット表示を行なう為に秒針５のみ単独で高速運針し、１２時位置で停止する。これですぐにクロノグラフをスタート出来る事になる。この場合、時針７分針６は、アラーム設定時刻を表示し続ける事になる。
【００３０】
更に図６において、（ａ）の時刻表示機能を表示している指針式電子多機能時計１では、秒針５は現在時刻秒を表わし、時針７及び分針６において現在時刻を表示している。ここでリューズ３を回転して（ｂ）の如くモード指示針８を時刻表示機能からクロノグラフ機能へ変更した場合、クロノグラフで使用する秒針５のみクロノグラフのリセット表示を行なう為に秒針５のみ単独で高速運針し、１２時位置で停止する。これですぐにクロノグラフをスタート出来る事になる。この場合、時針７分針６は、現在時刻を表示し続ける事になる。
【００３１】
つまりクロノグラフ機能を使用する場合、クロノグラフ機能では使用しない時針７分針６は、アラーム設定時刻又は時刻表示を表示している事になる。
【００３２】
【発明の効果】
以上のように本発明によれば、時刻信号と第１の機能信号のいずれかを選択する機能選択手段の出力を、第２の機能の動作選択時においてもその直前の状態を維持する出力維持手段を設けたため、使用者により早く機能を使用出来る状態に移行する指針式電子多機能時計を提供できる。
また本発明は、機能切替え毎に必要の無い指針を高速運針させる事が無い為、消費電流を多く必要とする指針式電子多機能時計にとって、少なくする事に寄与する。
【図面の簡単な説明】
【図１】本発明の実施の形態を示す指針式電子多機能時計の分針時針の制御を行なう制御手段内を説明するブロック図である。
【図２】本発明及び従来の実施の形態を示す指針式電子多機能時計のブロック図である。
【図３】従来の実施の形態を示す指針式電子多機能時計の秒針を制御する制御手段内のブロック図である。
【図４】従来の実施の形態を示す指針式電子多機能時計の分針時針の制御を行なう制御手段内を説明するブロック図である。
【図５】本発明の実施の形態を示す指針式電子多機能時計の機能変化を表わす正面図である。
【図６】本発明の実施の形態を示す指針式電子多機能時計の他の機能変化を表わす正面図である。
【符号の説明】
３  リューズ
５  秒針
６  分針
７  時針
８  モード指示針
９  機能針
２３  スイッチ群
６１  クロノ信号出力手段
６２  アラーム信号出力手段
６３  時刻信号出力手段
６４  モード信号出力手段
６５  切替手段
６７  セットリセット機能付フリップフロップ回路
【図１】
0004551525.tif 000002
【図２】
0004551525.tif 000003
【図３】
0004551525.tif 000004
【図４】
0004551525.tif 000005
【図５】
0004551525.tif 000006
【図６】
0004551525.tif 000007